(57)【要約】【課題】見開き性が良く、しかも本文の用紙が簡単に脱落することがない冊子を提供する。【解決手段】冊子１は、複数枚の用紙５を束ねた本文２を背部２１に糊付けして綴じ込み、この本文２と表表紙３ａと裏表紙３ｂとを背部２１にてクロス４巻きした構成とする。本文２は、ミシン目２２を境に二つ折りにした用紙５が折り目側を揃えて複数枚積層され、各用紙５が背部２１となる折り目側の端面に塗布形成された糊層６とこの糊層６を介して貼り付けされた和紙７又は繊維紙とにより綴じられ、和紙７又は繊維紙を介してクロス４と接着されている。【選択図】図２
2019123138.tif 000002
【特許請求の範囲】
【請求項１】
複数枚の用紙を束ねた本文を背部に糊付けして綴じ込み、この本文と表表紙と裏表紙とを背部にてクロス巻きした構成とする冊子において、
本文は、ミシン目を境に二つ折りにした用紙が折り目側を揃えて複数枚積層され、各用紙が背部となる折り目側の端面に塗布形成された糊層とこの糊層を介して貼り付けされた和紙又は繊維紙とにより綴じられ、和紙又は繊維紙を介してクロスと接着されている冊子。
【発明の詳細な説明】
【技術分野】
【０００１】
本発明は、ノート等に用いられる無線綴じの冊子に関するものである。
【背景技術】
【０００２】
無線綴じの冊子は、複数枚の用紙を束ねた本文と、本文をくるむ表紙とを備え、本文の背部に糊付けして表紙の背部と貼り付けて綴じられている。従来、無線綴じの冊子において、本文の背部に低粘度の糊層（第１接着剤層）と高粘度の糊層（第２接着剤層）とを順に形成して表紙の背部と接着させることにより、糊層の柔軟性が増して背部が湾曲可能となることで見開き性が良くなるとされている（特許文献１）。
【先行技術文献】
【特許文献】
【０００３】
【特許文献１】特開２０１６−１０１６７８号公報
【発明の概要】
【発明が解決しようとする課題】
【０００４】
しかしながら、無線綴じの冊子では、本文の背部に塗布した糊が本文の内部に深く浸入して固まると、見開いた際には用紙が根元近傍で盛り上がった状態となり見開き性が悪くなる。また、見開いた時に完全に見開かせようと手で押し付ける等した場合、本文の背部の糊層の接着強度が弱いと、用紙に沿って背部が引き裂けたり用紙が１枚ずつ剥がれ落ちたりするという問題があった。
【０００５】
本発明は、上記事情に鑑みてなされたものであり、見開き性が良く、しかも本文の用紙が簡単に脱落することがない冊子を提供することを目的とする。
【課題を解決するための手段】
【０００６】
本発明に係る冊子は、
複数枚の用紙を束ねた本文を背部に糊付けして綴じ込み、この本文と表表紙と裏表紙とを背部にてクロス巻きした構成とする冊子において、
本文は、ミシン目を境に二つ折りにした用紙が折り目側を揃えて複数枚積層され、各用紙が背部となる折り目側の端面に塗布形成された糊層とこの糊層を介して貼り付けされた和紙又は繊維紙とにより綴じられ、和紙又は繊維紙を介してクロスと接着されているものである。
【発明の効果】
【０００７】
本発明に係る冊子によれば、本文の各用紙が二つ折りの用紙で構成され折り目に設けるミシン目によって糊層に強固に固定され、また、本文の背部は、糊層を介して貼り付けた和紙又は繊維紙により糊層の柔軟性を保持しつつ強度が向上される。従って、本文を見開いた時に用紙が簡単に剥がれて脱落することがない。また、本文の各用紙は、ミシン目によって糊層の糊が本文の内部に深く浸入しないようにしているので、本文の見開き性も良い。
【図面の簡単な説明】
【０００８】
【図１】実施形態による冊子を示す斜視図であり、図１（ａ）は表紙を閉じた状態の斜視図、図１（ｂ）は本文を開いた状態の斜視図である。
【図２】実施形態による冊子の要部の拡大断面図である。
【図３】用紙を示す斜視図である。
【発明を実施するための形態】
【０００９】
以下に、本発明の実施形態について図面を参照しながら説明する。
図１、図２に示すように、実施形態の冊子１は、複数枚の用紙５を重ねて束ねた本文２と、本文２の表裏面を覆う表表紙３ａ及び裏表紙３ｂと、本文２、表表紙３ａ及び裏表紙３ｂを背部２１から覆って結合させるクロス４とを備えたものである。
【００１０】
図２、図３を参照して、本文２は、ミシン目２２を境に二つ折りにした用紙５が折り目側を揃えて複数枚積層されたものである。この本文２は、二つ折りにした用紙５の各々が、ミシン目２２を設けた折り目の側の端面を背部２１とし、この背部２１に塗布形成された糊層６とこの糊層６を介して貼り付けた和紙７とにより綴じられた無線綴じ構造をなしている。
【００１１】
二つ折りの用紙５は、筆記可能な紙材から形成され、紙面には方眼目や罫線、模様等の様々な印刷が施されていてもよいし、無地のままのものでもよい。二つ折りにした用紙５の形状は、細長い長方形形状をなすが、これに限らず、例えば、Ｂ５やＡ５等の規格サイズの長方形形状であってもよい。
【００１２】
表表紙３ａ及び裏表紙３ｂは、長方形形状を有し、様々な紙材、樹脂シート材、紙に樹脂コートしたシート材等その他の各種のシート材から形成することができる。表表紙３ａ及び裏表紙３ｂは、本文２と縦横サイズが同じ長方形形状である。
【００１３】
クロス４は、細長い製本テープ等が使用され、例えば、布クロス、ビニールクロス、紙クロス、レザークロス等その他の各種のテープ材を使用することができる。
【００１４】
この冊子１の製造において、本文２を作製するには、ミシン目２２が折り目線上に配置された二つ折りの用紙５を折り目側を揃えて複数枚積層した用紙束とし、この用紙束の折り目側の端面全域に糊を塗布して糊層６を形成し、さらにこの用紙束の折り目側の端面全体を覆うように糊層６の表面に和紙７を貼り付ける。なお、この和紙７の上に、さらに糊を１回又は複数回塗布するようにしてもよい。この和紙７の上に塗布する糊は、用紙束に塗布した糊と同じものでもよいし、高粘度又は低粘度の糊であってもよい。その後、糊層６が固化すると、本文２が出来上がる。
【００１５】
ここで、糊層６は、柔軟性に富むコールドグルータイプの接着剤を用いるのが好ましいが、ホットメルトタイプの接着剤を用いてもよい。糊層６の塗布方法は、刷毛塗りで行われるが、これに限らず、ロールコータ等の塗工機により塗布してもよい。糊層６の塗布量は、背部２１となる用紙束の端面全面に目視によりムラなく塗布される程度であればよい。
【００１６】
そして、作製した本文２の表裏面にそれぞれ表表紙３ａと裏表紙３ｂとを重ね合わせて背部２１にクロス４を巻くクロス巻き製本することにより、冊子１が完成する。
【００１７】
以上の構成の冊子１では、本文２の各用紙５は、ミシン目２２を境に二つ折りにしたものであるから、用紙５が１枚ずつ脱落することがない。仮に故意に１枚の用紙５を引きちぎろうとした場合は根元のミシン目２２が破断して綺麗に１枚の用紙５を剥ぎ取ることができる。
【００１８】
二つ折り用紙５は、外面に浸入した糊によって隣りの二つ折り用紙５と互いに結合される。また、糊付けされる二つ折り用紙５の折り目にはミシン目２２が設けられているので、このミシン目２２から浸入した糊によって二つ折り用紙５の内面同士も根元で接着される。従って、二つ折り用紙５は、ミシン目２２を通して内外面で背部２１の糊層６に強固に接着される。また、本文２の背部２１は、糊層６を介して貼り付けた和紙７により、糊層６の柔軟性を保持しつつ背部２１の強度を向上させることができる。よって、本文２を見開いた時に用紙５に沿って背部２１が引き裂けたり用紙５が簡単に剥がれて脱落したりすることもない。
【００１９】
また、二つ折りにした用紙５は、糊層６と接する折り目にミシン目２２が設けられているから、このミシン目２２により糊が本文２の内部に深く浸入しないようにすることができる。従って、本文２を見開いた時は用紙５の根元近傍でもほぼ平坦な状態となり見開き性を良好にすることができる。
【００２０】
以上より、本実施形態に係る冊子１によれば、本文２の見開き性がよく且つ本文２を見開いた時に用紙５が簡単に脱落することがないという効果が発揮される。
【００２１】
なお、本発明は、上記実施形態のみに限定されず、特許請求の範囲内で様々な変更を施すことが可能である。
例えば、本文２の背部２１に和紙７を貼り付けているが、和紙に代えて、強い繊維紙であってよい。
【符号の説明】
【００２２】
１  冊子
２  本文
３ａ  表表紙
３ｂ  裏表紙
４  クロス
５  用紙
６  糊層
７  和紙
２１  背部
２２  ミシン目
【図１】
2019123138.tif 000003
【図２】
2019123138.tif 000004
【図３】
2019123138.tif 000005